(57)【要約】【課題】折畳んだハンドルを固定すると共に、該ハンドルを折畳んだ際に持ち易い位置に取手部材が現出するように構成し、もって持ち運びを容易にすることが可能な歩行型農作業機を提供する。【解決手段】歩行型農作業機１１は、機体２の後部から延設されたハンドルフレーム２０と、該ハンドルフレーム２０に対して前方側に折畳み自在に配設されたハンドル２１とを備えている。ハンドル２１を前方側に折畳んだ状態で、ノブボルト３１を、ハンドルフレーム２０の貫通孔２０ａ及び固定プレート３０の固定孔３０ｄに貫通させて固定ナット３０ｈに螺合することで、該ハンドル２１をハンドルフレーム２０に固定する。ハンドル２１を前方側に折畳んだ状態で固定すると、ハンドル２１に一体的に取付けられた取手部材４０が、機体２より上方側に現出する。これにより、機体２の持ち運びを容易にすることが可能となる。【選択図】図３
2011025770.tif 000002
【特許請求の範囲】
【請求項１】
機体の後部から延設されたハンドルフレームと、該ハンドルフレームに対して前方側に折畳み自在に配設されたハンドルと、を備えた歩行型農作業機において、
前記ハンドルを前方側に折畳んだ状態で、該ハンドルを前記ハンドルフレームに固定する固定手段と、
前記ハンドルに一体的に取付けられ、該ハンドルを折畳んだ状態で前記機体より上方側に現出する取手部材と、を備えた、
ことを特徴とする歩行型農作業機。
【請求項２】
前記取手部材は、前記ハンドルを折畳んだ状態で前記機体の重心位置の方向に向けて延設されてなる、
ことを特徴とする請求項１記載の歩行型農作業機。
【発明の詳細な説明】
【技術分野】
【０００１】
本発明は、管理機等の歩行型農作業機に係り、詳しくは、ハンドルフレームに対して前方側に折畳み自在に配設されたハンドルを備えた歩行型農作業機に関する。
【背景技術】
【０００２】
従来、管理機等の歩行型農作業機、特に家庭菜園等に用いる小型の歩行型農作業機において、機体の後部から延設されたハンドルフレームに対し、ハンドルを折畳み自在に配設されたものがある（特許文献１乃至特許文献４参照）。特許文献１のものは、ハンドルを後方側に折畳んで接地させ、運搬時や収納時の機体の姿勢を安定化させるように構成されている。特許文献２のものは、ハンドルフレームの先端にブラケット（３７）を取付け、ハンドル（３８）を回動自在に支持し、つまりハンドルの折畳みが可能となるように構成されている。特許文献３及び特許文献４のものは、ハンドルフレームを前方側に折畳むことが可能に構成されている。
【先行技術文献】
【特許文献】
【０００３】
【特許文献１】特開２００１−３２２５７２号公報
【特許文献２】特開２００２−１２５４０２号公報
【特許文献３】特開２００４−１１４７５９号公報
【特許文献４】特開２００８−２３８８５２号公報
【発明の概要】
【発明が解決しようとする課題】
【０００４】
ところで、上述の特許文献１のようにハンドルを後方側に折畳むものは、コンパクト性に欠け、例えば乗用車のトランク等に搭載することが難しく、小型トラック等が必要となるため、家庭菜園等を行うような小型の歩行型農作業機としては、運搬が困難であり、好ましくない。
【０００５】
また、特許文献３及び特許文献４のようにハンドルを前方側に折畳むものは、コンパクト性を確保することができるものの、折畳んだハンドル自体は持ち難く、つまり歩行型農作業機を乗用車のトランク等に搭載しようとしても、持ち運びが難しいという問題があった。
【０００６】
そこで本発明は、折畳んだハンドルを固定すると共に、該ハンドルを折畳んだ際に持ち易い位置に取手部材が現出するように構成し、もって持ち運びを容易にすることが可能な歩行型農作業機を提供することを目的とするものである。
【課題を解決するための手段】
【０００７】
請求項１に係る本発明は（例えば図１乃至図６参照）、機体（２）の後部から延設されたハンドルフレーム（２０）と、該ハンドルフレーム（２０）に対して前方側に折畳み自在に配設されたハンドル（２１）と、を備えた歩行型農作業機（１１，１２）において、
前記ハンドル（２１）を前方側に折畳んだ状態で、該ハンドル（２１）を前記ハンドルフレーム（２０）に固定する固定手段（２０ａ，３０ｄ，３０ｈ，３１）と、
前記ハンドル（２１）に一体的に取付けられ、該ハンドル（２１）を折畳んだ状態で前記機体より上方側に現出する取手部材（４０，４１）と、を備えた、
ことを特徴とする歩行型農作業機（１１，１２）にある。
【０００８】
請求項２に係る本発明は（例えば図４乃至図６参照）、前記取手部材（４１）は、前記ハンドル（２１）を折畳んだ状態で前記機体（２）の重心位置の方向に向けて延設されてなる、
ことを特徴とする請求項１記載の歩行型農作業機（１２）にある。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る本発明によると、ハンドルを前方側に折畳んだ状態で固定した際に、機体より上方側に取手部材が現出するので、機体の持ち運びを容易にすることができる。これにより、例えば乗用車等に容易に搭載することも可能とすることができる。
【００１１】
請求項２に係る本発明によると、取手部材は、ハンドルを折畳んだ状態で機体の重心位置の方向に向けて延設されているので、該取手部材を持つことで機体の重心付近を持つことができ、さらに機体の持ち運びを容易にすることができる。
【図面の簡単な説明】
【００１２】
【図１】第１の実施の形態に係る歩行型農作業機１１を示す側面図。
【図２】第１の実施の形態に係る歩行型農作業機１１を示す上方視図。
【図３】第１の実施の形態に係る歩行型農作業機１１の折畳み時を示す側面図。
【図４】第２の実施の形態に係る歩行型農作業機１２を示す側面図。
【図５】第２の実施の形態に係る歩行型農作業機１２を示す上方視図。
【図６】第２の実施の形態に係る歩行型農作業機１２の折畳み時を示す側面図。
【発明を実施するための形態】
【００１３】
＜第1の実施の形態＞
以下、図面に沿って、本発明に係る第１の実施の形態について図１乃至図３に沿って説明する。
【００１４】
図１及び図２に示すように、例えば家庭菜園等に用いて好適な小型の歩行型農作業機１１は、機体２を備えており、該機体２の上部にエンジン始動用のリコイルロープ１５（図２参照）が付設されたガスエンジン３が配設されている。ガスエンジン３の上方には、図示を省略したガスボンベを収納するボンベ収納部７が配置されており、その後方にはマフラ４が延設されている。該マフラ４は、マフラカバー５により覆われていると共に、ガスエンジン３の駆動中は熱くなり易い該マフラカバー５をさらにガードするマフラガード６が上方に配設されている。また、上記機体２の左方側は、サイドカバー８により覆われている。
【００１５】
上記ガスエンジン３の下方側にあって上記サイドカバー８の下方に沿った位置には、泥跳ね防止用のカバー１３が配置されており、その前方部分には、アシストグリップ（取手）１４が取付けられている。該カバー１３の後方側には、ミッションケース１０が貫通して配置されており、該ミッションケース１０は、ガスエンジン３の回転を耕耘軸１１まで伝動する不図示の伝動系を収納している。該耕耘軸１１には複数の耕耘爪１２が相対回転不能にボルト等により締結されている。
【００１６】
上記機体２の後方にあってミッションケース１０の上方には、支持フレーム２２が配設されており、該支持フレーム２２の後部には、耕深を調節し得る抵抗棒９を把持する把持部２２ａが形成されている。そして、該支持フレーム２２は、後方に延設されたハンドルフレーム２０を固定支持している。該ハンドルフレーム２０の後方先端部には詳しくは後述するハンドル２１を回動自在に支持するブラケット３２が固着されている。該ブラケット３２の先端部には、ガスエンジン３をＯＮ／ＯＦＦするエンジンスイッチ３ａが配設されている。
【００１７】
上記ハンドルフレーム２０の延長上には、ブラケット３２の半円筒部３２ａを介して基端部２１ａが回動自在に支持されたハンドル２１が配設されている。ハンドル２１は、図２に示すように、基端部２１ａから右方側に延びる右ハンドル部２１ｒと、該基端部２１ａから左方側に延びる左ハンドル部２１ｌとを有しており、上方視略コの字状ないしＵ字状に形成されている。左ハンドル部２１ｌの上部には、ガスエンジン３と耕耘軸１１との間に介在するデッドマンクラッチ（不図示）を、握った際に係合状態にするクラッチレバー２３が配置されており、右ハンドル部２１ｒの上部には、ガスエンジン３のスロットル開度を調整するスロットルレバー２４が配置されている。そして、ハンドル２１の基端部２１ａには、斜め後側下方に向けて取手部材４０が溶接等により一体的に取付けられて固着されている。
【００１８】
また、上記ハンドル２１には、上記ブラケット３２を挟んで配置された一対の固定プレート３０が基端部２１ａに溶接等により固定されている。ハンドル２１を延ばした通常位置（折畳んでいない位置）にあって、該固定プレート３０の下方側には、一対の固定プレート３０に対して３箇所に上下調節孔３０ａ，３０ｂ，３０ｃが貫通形成されており、それら上下調節孔３０ａ，３０ｂ，３０ｃの左方側には、それぞれ固定ナット３０ｅ，３０ｆ，３０ｇが該固定プレート３０に固着されて配設されている。また、上記ハンドルフレーム２０には、それら上下調節孔３０ａ，３０ｂ，３０ｃに対応する１つの貫通孔（固定手段）２０ａが貫通形成されており、つまり上下調節孔３０ａ，３０ｂ，３０ｃがハンドルの上下角度を段階的に変更した際に該貫通孔２０ａに対して位置が一致する。従って、ノブボルト３１は、貫通孔２０ａと上下調節孔３０ａ，３０ｂ，３０ｃの何れかとを貫通して、ハンドル２１とハンドルフレーム２０とを締結可能に着脱し得るように構成されている。
【００１９】
即ち、上下調節孔３０ａと貫通孔２０ａとの位置を一致させ、ノブボルト（固定手段）３１を通して固定ナット３０ｅに螺合することで、ハンドル２１は「上位置」となり、上下調節孔３０ｂと貫通孔２０ａとの位置を一致させ、ノブボルト３１を通して固定ナット３０ｆに螺合することで、ハンドル２１は「中位置」となり、上下調節孔３０ｃと貫通孔２０ａとの位置を一致させ、ノブボルト３１を通して固定ナット３０ｇに螺合することで、ハンドル２１は「下位置」となり、つまり３段階にハンドル２１を上下調節し得る。
【００２０】
そして、ハンドル２１を延ばした通常位置にあって、上記固定プレート３０の上方側には、一対の固定プレート３０に対して固定孔（固定手段）３０ｄが貫通形成されており、該固定孔３０ｄの左方側には固定ナット（固定手段）３０ｈが固着されて配設されている。
【００２１】
ハンドル２１を前方側に折畳む際には、まず、ノブボルト３１を回して上記固定ナット３０ｅ，３０ｆ，３０ｇの何れかより取り外し、上下調節孔３０ａ，３０ｂ，３０ｃの何れかより抜き外す。次に、図３に示すように、ハンドル２１の基端部２１ａをブラケット３２の半円筒部３２ａで摺動させつつ該ハンドル２１を前方側に回動し、上述した固定プレート３０の固定孔３０ｄとハンドルフレーム２０の貫通孔２０ａとの位置を一致させる。そして、ノブボルト３１を右方側から左方側に向けて該固定孔３０ｄ及び貫通孔２０ａに貫通させ、固定ナット３０ｈに螺合させる。これにより、ノブボルト３１によって固定プレート３０がハンドルフレーム２０に締結され、つまりハンドル２１の基端部２１ａとブラケット３２の半円筒部３２ａとの間で回動が生じないように、ハンドル２１がハンドルフレーム２０に固定される。
【００２２】
以上のように、ハンドル２１が前方側に折畳まれて固定されると、上述した通常位置で斜め後側下方に向いていた取手部材４０が、ハンドル２１より上方側、即ち機体２より上方側に現出する。これにより、作業者は、機体２の前方に配設されたアシストグリップ（取手）１４と相俟って、取手部材４０を用いて機体２を容易に持ち上げることが可能となり、機体２の持ち運びを容易にすることができる。このため、特に歩行型農作業機１１を乗用車等に容易に搭載することも可能とすることができる。
【００２３】
＜第２の実施の形態＞
ついで、上記第１の実施の形態を一部変更した第２の実施の形態について図４乃至図６に沿って説明する。なお、本第２の実施の形態の説明においては、上記第１の実施の形態と同様の部分に、同符号を付し、その説明を省略する。
【００２４】
本第２の実施の形態における歩行型農作業機１２は、図４、図５、図６に示すように、上記第１の実施の形態における歩行型農作業機１１に比して、取手部材４０を長さの長い取手部材４１に変更したものである。該取手部材４１は、作業者が握るグリップ部４１ａと、通常位置において該グリップ部４１ａを斜め後側上方に向けてハンドル２１の略々半分程度の長さまで延設する延設部４１ｂ，４１ｂとを有して構成されており、同様に該取手部材４１は、ハンドル２１の基端部２１ａに溶接等により一体的に取付けられて固定されている。
【００２５】
従って、ハンドル２１が前方側に折畳まれて固定されると、上述した通常位置で斜め後側下方に向いていた取手部材４０が、図６に示すように、ハンドル２１より上方側、即ち機体２より上方側にあって、該機体２の重心位置の方向に向けてグリップ部４１ａが延設される形で現出する。これにより、作業者は、機体２の前方に配設されたアシストグリップ（取手）１４と相俟って、取手部材４１を用いて機体２の重心付近を持つことが可能となり、第１の実施の形態に比してさらに機体２の持ち運びを容易にすることができる。このため、特に歩行型農作業機１２を乗用車等に容易に搭載することも可能とすることができる。
【００２６】
なお、以上説明した第１及び第２の実施の形態においては、歩行型農作業機１としてガスエンジン３を用いた小型でかつ軽量化が図られたものを一例として説明したが、これに限らず、例えば乗用車のトランク等に収納できるような大きさの歩行型農作業機（管理機）であれば、どのようなものであっても本発明を適用し得る。
【符号の説明】
【００２７】
１１，１２    歩行型農作業機
２    機体
２０    ハンドルフレーム
２１    ハンドル
２０ａ    固定手段（貫通孔）
３０ｄ    固定手段（固定孔）
３０ｈ    固定手段（固定ナット）
３１    固定手段（ノブボルト）
４０    取手部材
４１    取手部材
【図１】
2011025770.tif 000003
【図２】
2011025770.tif 000004
【図３】
2011025770.tif 000005
【図４】
2011025770.tif 000006
【図５】
2011025770.tif 000007
【図６】
2011025770.tif 000008